(57)【要約】【課題】長尺原稿を用いた複写および紙折り時において、シンクロカット時であっても紙折り動作を可能にすることにより、紙折りによる生産性を向上させること。【解決手段】スキャナ１１０で読み取った広幅および長尺の原稿の画像情報を読み取り、当該サイズにしたがって記録紙に画像を形成する複写機１００と、指示される所定の紙折り方法で記録紙を折る紙折り機１２０と、を相互通信可能に接続した複写・紙折りシステムであって、複写機１００上で設定された紙折り条件を紙折り機１２０に送信し、当該紙折り条件にしたがって紙折りを実行させる複写機制御部１０３を備える。【選択図】　　　図２
2004075237.tif 000002
【特許請求の範囲】
【請求項１】
原稿読取手段で読み取った広幅および長尺の原稿の画像情報を読み取り、当該サイズにしたがって記録紙に画像を形成する複写機と、指示される所定の紙折り方法で前記記録紙を折る紙折り機と、を相互通信可能に接続した複写・紙折りシステムであって、
前記複写機上で設定された紙折り条件を前記紙折り機に送信し、当該紙折り条件にしたがって紙折りを実行させる紙折り制御手段を備えたことを特徴とする複写・紙折りシステム。
【請求項２】
さらに、前記広幅長尺の原稿の副走査方向の長さを検知する副走査方向長さ検知手段を備え、
前記紙折り制御手段は、前記副走査方向長さ検知手段で検知した原稿の副走査方向の長さ情報を前記紙折り機に送信し、所定の紙折り方法で長尺の記録紙の紙折りを実行させることを特徴とする請求項１に記載の複写・紙折りシステム。
【請求項３】
前記紙折り制御手段は、前記副走査方向長さ検知手段で検知した原稿の副走査方向の長さ情報にしたがって、あらかじめ指定された主走査方向と平行な所定幅に複数回折る回数を算出して前記紙折り機に送信し、長尺の記録紙の紙折りを実行させることを特徴とする請求項２に記載の複写・紙折りシステム。
【請求項４】
前記紙折り制御手段は、前記副走査方向長さ検知手段で検知した原稿の副走査方向の長さ情報にしたがって、あらかじめ指定された主走査方向と平行な所定幅に複数回折る回数を算出し、折り面数の最終面が前記所定幅に満たない場合、この端数長さに応じた処理を実行することを特徴とする請求項２または３に記載の複写・紙折りシステム。
【請求項５】
前記紙折り制御手段は、前記副走査方向長さ検知手段で検知した原稿の副走査方向の長さ情報が、紙折り可能な最大長さを超過した場合、当該内容をエラー情報として出力することを特徴とする請求項２、３または４に記載の複写・紙折りシステム。
【請求項６】
前記紙折り条件は、少なくとも、記録紙のサイズ、紙折り方式、綴じ代、折り幅、スタンプの有無、スタンプの位置を含むことを特徴とする請求項１に記載の複写・紙折りシステム。
【発明の詳細な説明】
【０００１】
【発明の属する技術分野】
本発明は、ロール紙を用いて大サイズの記録紙に複写する複写機および当該複写機から排紙される記録紙を自動的に紙折りする紙折り機を備え、特に、原稿スキャン動作のみで得られる情報から、任意の記録紙サイズに対して適切な紙折り動作として制御する複写・紙折りシステムに関する。
【０００２】
【従来の技術】
従来、たとえば、Ａ１，Ａ０といった大型の複写機（工業用複写機）では、その排紙側に所定サイズに紙折りを行なって排出する紙折り機を接続したシステムが知られている。このような紙折りシステムは、たとえば特許第２５２６９１５号公報に開示されている。すなわち、このようなシステムは、複写機に紙折り機を接続し、複写機において画像形成した記録紙を紙折り機に導入し、複写機の操作部からプリセットされた記録紙サイズ、綴じ代などの折りモード条件を紙折り機側にオンラインで送信し、その条件にしたがって紙折り機側が記録紙の折り込みを行なうものである。
【０００３】
また、上述の紙折り機には、１つの記録紙サイズにおいて複数種類の紙折り方式が選択可能に用意されている。さらに紙折り可能な折り方法も記録紙サイズごとに種類が異なる。作業者は複写対象の記録紙サイズを複写機側の操作部で選択し、さらにその記録紙サイズに対して折りたたみ可能な折り方法を選択すると共に、綴じ代、折り込み時の縦横補正値、スタンプの有無、スタンプ位置などの数値も設定する。
【０００４】
また、原稿の副走査方向が長い原稿に対しては、あらかじめ副走査方向の長さを測定し、その長さを操作部から入力することによって記録紙のサイズを確定する。このような入力操作を行なった後、複写動作を開始し、複写機内に収納されているロール紙を搬送し、所定長にカットし、所定のタイミングで作像部に搬送して記録紙上に画像形成を行ない、その記録紙を紙折り機に導入する。
【０００５】
また、操作部から設定される折りモード条件は、複写機から排出される記録紙１枚ごとに付随し、オンラインにより複写機側に伝達される。また、複写機の操作部より入力された折りモード情報にしたがって紙折り機が紙折り動作を実行する。
【０００６】
【発明が解決しようとする課題】
しかしながら、上記に示されるような従来の紙折りシステムにあっては、大型の複写機と紙折り機とをオンライン接続し、紙折りを実行する場合には操作部から入力される少なくとも記録紙サイズと折り方法の２つの情報が設定されない限り、オンライン接続による紙折りを行なうことができなかった。
【０００７】
したがって、長尺原稿で、副走査方向の長さをスキャナを通して自動的に読み取り、読み取った長さにロール紙をカットする、いわゆるシンクロカットモードの場合、スキャナに通し終わるまで副走査方向の長さが確定せず、かつ紙折り方法も確定されないので、シンクロカットモードでは紙折りを禁止するという制御が必要であった。
【０００８】
すなわち、長尺原稿による画像形成が行なわれた記録紙を紙折り機で折る場合、長尺原稿に副走査方向をあらかじめ計測しておく必要があるため、長尺原稿において複写〜紙折りという一連の工程において生産性の低下を招来させるという問題点があった。
【０００９】
本発明は、上記に鑑みてなされたものであって、長尺原稿を用いた複写および紙折り時において、シンクロカット時であっても紙折り動作を可能にすることにより、紙折りによる生産性を向上させることを目的とする。
【００１０】
【課題を解決するための手段】
上記の目的を達成するために、請求項１にかかる複写・紙折りシステムにあっては、原稿読取手段で読み取った広幅および長尺の原稿の画像情報を読み取り、当該サイズにしたがって記録紙に画像を形成する複写機と、指示される所定の紙折り方法で前記記録紙を折る紙折り機と、を相互通信可能に接続した複写・紙折りシステムであって、前記複写機上で設定された紙折り条件を前記紙折り機に送信し、当該紙折り条件にしたがって紙折りを実行させる紙折り制御手段を備えたものである。
【００１１】
この発明によれば、大型サイズの記録紙に画像形成を行なう複写機の排紙口に相互通信可能に紙折り機を接続し、原稿読み取り時のサイズ情報および複写機の操作部上で指定された紙折り条件を複写機側から紙折り機側に送信することにより、長尺の複写を行なって紙折りする際に、紙折り機側での紙折り条件の入力や原稿サイズの入力操作といった煩わしい作業が不要になる。
【００１２】
また、請求項２にかかる複写・紙折りシステムにあっては、さらに、前記長尺の原稿の副走査方向の長さを検知する副走査方向長さ検知手段を備え、前記紙折り制御手段は、前記副走査方向長さ検知手段で検知した原稿の副走査方向の長さ情報を前記紙折り機に送信し、所定の紙折り方法で長尺の記録紙の紙折りを実行させるものである。
【００１３】
この発明によれば、請求項１において、長尺の複写を行なって紙折りする際に、副走査方向長さ検知手段で検知した原稿の副走査方向の長さ情報および紙折り条件を紙折り機に送信し、所定の紙折り方法で長尺の記録紙の紙折りを実行させることにより、複写機側の送信信号の受信のみで、紙折り機側での紙折り条件の入力や原稿の副走査方向サイズの入力操作といった煩わしい作業が不要になる。
【００１４】
また、請求項３にかかる複写・紙折りシステムにあっては、前記紙折り制御手段は、前記副走査方向長さ検知手段で検知した原稿の副走査方向の長さ情報にしたがって、あらかじめ指定された主走査方向と平行な所定幅に複数回折る回数を算出して前記紙折り機に送信し、長尺の記録紙の紙折りを実行させるものである。
【００１５】
この発明によれば、請求項２において、長尺の複写を行なって紙折りする際に、副走査方向長さ検知手段で検知した原稿の副走査方向の長さ情報にしたがって、あらかじめ指定された主走査方向と平行な所定幅に複数回折る回数（面数）を算出して紙折り機に送信することにより、紙折り機側での紙折り条件の入力や原稿の副走査方向サイズの入力操作といった煩わしい作業が不要になり、かつ複写機側からの送信情報のみによる紙折りの可否判断が可能になる。
【００１６】
また、請求項４にかかる複写・紙折りシステムにあっては、前記紙折り制御手段は、前記副走査方向長さ検知手段で検知した原稿の副走査方向の長さ情報にしたがって、あらかじめ指定された主走査方向と平行な所定幅に複数回折る回数を算出し、折り面数の最終面が前記所定幅に満たない場合、この端数長さに応じた処理を実行するものである。
【００１７】
この発明によれば、請求項２または３において、自動的に読み取った原稿の副走査方向長より記録紙長を求め、設定された紙折り幅より紙折り回数を算出し、端数がでた場合にはその長さによって、たとえば−１回折りを減らすといった処理内容を適宜変更することにより、紙折り機側へ紙折りモードを送出することが可能になる。
【００１８】
また、請求項５にかかる複写・紙折りシステムにあっては、前記紙折り制御手段は、前記副走査方向長さ検知手段で検知した原稿の副走査方向の長さ情報が、紙折り可能な最大長さを超過した場合、当該内容をエラー情報として出力するものである。
【００１９】
この発明によれば、請求項２、３または４において、副走査方向長さ検知手段で検知した原稿の副走査方向の長さ情報が、紙折り折り可能な最大長さを超過した場合にその旨をエラー情報として表示部などを介してユーザに報知することにより、その後の処理を迅速に実行させることが可能になる。
【００２０】
また、請求項６にかかる複写・紙折りシステムにあっては、前記紙折り条件は、少なくとも、記録紙のサイズ、紙折り方式、綴じ代、折り幅、スタンプの有無、スタンプの位置を含むものである。
【００２１】
この発明によれば、請求項１において、原稿読み取り時のサイズ情報および複写機の操作部上で指定された紙折り条件（記録紙のサイズ、紙折り方式、綴じ代、折り幅、スタンプの有無、スタンプの位置など）を複写機側から紙折り機側に送信することにより、長尺の複写を行なって紙折りする際に、ユーザによる紙折り機側での紙折り条件の入力や原稿サイズの入力操作といった煩わしい作業が不要になる。
【００２２】
【発明の実施の形態】
以下、本発明にかかる複写・紙折りシステムの好適な実施の形態について添付図面を参照し、詳細に説明する。なお、本発明はこの実施の形態に限定されるものではない。
【００２３】
本発明は、図面などの画像形成に用いられ、Ａ０、Ａ１、Ａ２サイズといった大サイズの記録紙（ロール紙によりカット）に複写画像を形成する複写機に、当該記録紙を所定の方法で所定サイズに折って排紙する紙折り機をオンライン接続し、複写機で設定した記録紙の紙折りモード条件（記録紙サイズ、紙折り方式、綴じ代、折り幅、スタンプの有無、スタンプの位置など）に関する情報を紙折り機の制御部に信号として出力し、当該紙折りモード条件にしたがって紙折りを行なうものである。また、不定型の長尺原稿を複写する場合、スキャナによる原稿読み取り時に副走査方向の長さを求め、この副走査方向の長さにしたがって、あらかじめ指定された紙折り方法で折るなどの制御を行なうものである。以下、具体的に説明する。
【００２４】
図１は、本発明の実施の形態にかかる複写機と紙折り機の概略的な構成を示す断面図である。なお、この実施の形態における複写機１００は、電子写真プロセスに基づいた作像方式によって記録紙に画像を形成するものである。複写機１００と紙折り機１２０とは、たとえばＲＳ２３２Ｃに準拠したシリアル通信ケーブル１３０で接続されている。また、複写機１００とスキャナ１１０とは相互通信可能な信号線によって接続されている。
【００２５】
特に、複写機１００には、広幅のロール紙１０１ａ，１０１ｂが設けられている。また、符号１０６は記録紙上の未定着のトナー像を熱・圧力に作用により記録紙に定着する定着装置、符号１０７は電子写真プロセスにしたがって記録紙に作像する作像部、符号１０８はスキャナ１１０で読み取った画像情報をレーザ光変調により書き込むレーザ光学系、符号１０９はロール紙を所定の長さに切断するカッターである。カッター１０９はロール紙引き出し部と転写部との間に設けられており、原稿のサイズ検知などによって得られた記録紙サイズ（副走査方向長さ）にしたがってロール紙からの記録紙の切断と複写動作を同時に行なうように構成されている。
【００２６】
また、複写機１０１の排紙側に接続される紙折り機１２０は、記録紙の導入口を複写機１０１の排紙口に接続し、複写機１００で作成された記録紙を自動的に折り込みするように構成されている。紙折り機１２０の内部には、記録紙の長さ方向と幅方向のそれぞれの方向に対して折り込みが可能な折り方式が複数設けられている。つまり、複写機１００より送出される折り方式情報にしたがって選択され、大サイズの記録紙を縦横方向に複数回折り込み、一定サイズの記録紙サイズに折り込むように構成されている。
【００２７】
すなわち、複写機１００にスキャナ１１０および紙折り機１２０を接続し、スキャナ１１０で読み込んだ画像情報を、複写機１００において画像形成し、その形成された記録紙を紙折り機１２０に搬送し、記録紙の排出と同時に、紙折り機１２０において複写機１００からシリアル通信ケーブル１３０を介して送出される記録紙サイズ、紙折り方式、各種紙折りモードといった条件を受信し、当該条件にしたがって自動的に折り込みを行なうように構成されている。
【００２８】
また、複写機１００には幅方向に広いロール紙１０１ａ，１０１ｂが収容されており、原稿のサイズ情報および記録紙サイズカット情報によって、ロール紙１０１ａ（１０１ｂ）を切断し、記録紙として搬送する。この動作とほぼ並行して読み取った画像情報にしたがってレーザ光による書き込みを行ない、感光体ドラムなどの作像部１０７により画像形成を行なって記録紙上にトナー像を転写し、これを定着装置１０６によって定着することにより、大サイズの記録紙に画像を形成する。
【００２９】
また、スキャナ１１０は、この実施の形態では、一般的に知られている原稿移動型のデジタルイメージスキャナを用い、ＳＣＵ１１１の制御により、ＣＣＤ１１２で原稿画像を電気的に読み取り、この画像情報を複写機１００に送信する。また、このとき、ＣＣＤ１１２の読み取りにより、原稿の主走査方向および副走査方向の長さ、すなわち原稿サイズを読み取る。なお、この実施の形態では、複写機１００とスキャナ１１０とを分離して示しているが、複写機１００とスキャナ１１０とが一体的な構成であってもよい。
【００３０】
図２は、図１における複写機と紙折り機のシステム構成を示すブロック図であり、主要構成について図示している。図において、符号１０２は複写条件や紙折り条件などを入力するための各種のキー群が設けられている操作部、符号１０２ｂはＬＣＤパネルなどで構成され、装置の状態や設定状態、エラーメッセージなどを表示する表示部、符号１０３は複写機全体を統括的に制御する複写機制御部、符号１０４は操作部１０１から入力される紙折り条件などの情報を記憶しておくメモリ、符号１０５は紙折り機１２０との制御情報のやり取りを行なう通信ユニットである。
【００３１】
また、符号１１１はスキャナ１１０全体の制御を行なうスキャナ制御装置（ＳＣＵ）、符号１１２は光学的に入力されたラインごとの原稿画像を電気信号に変換して出力するＣＣＤ、符号１２１は複写機１２０との制御情報のやり取りを行なう通信ユニット、符号１２２は紙折り機１２０全体を制御する制御部、符号１２３は紙折り情報などを記憶しておくメモリである。
【００３２】
このように構成された複写機１００では先に述べたように、原稿のサイズ情報、記録紙サイズカット情報にしたがって広幅のロール紙１０１ａ（１０１ｂ）を切断し、感光体ドラムなどの作像部１０７により画像形成を行なって転写し、そのトナー像を定着装置１０６によって定着し、紙折り機１１０に排紙する。
【００３３】
複写機１００から紙折り機１２０に出力される情報は、たとえば、記録紙サイズ、紙折り方式、スタンプの有無、スタンプの位置、綴じ代、縦横紙折り補正値、紙折り実行の有無などである。また、紙折り機１２０からの情報は、紙折り機内でのジャム信号（紙詰まり信号）、エラー信号、折りカウント情報、初期画面表示情報などである。
【００３４】
この実施の形態における紙折り機１２０は、選択される記録紙サイズによって紙折り装置によって紙折り方式が異なる。記録紙の折りを設定するときには画面折り設定画面により記録紙サイズを決定した後、その記録紙サイズで紙折りが可能な紙折り方式を一つ選択し、画像形成動作を行なう。
【００３５】
ところで、本発明における長尺原稿の画像形成における不定型の長尺の記録用紙を紙折り機１２０で折るための特殊な折りモードを長尺折りモードと記述する。このとき、記録紙は図３に示すように副走査方向に交互に折られ、最終的に短冊状の折り記録紙が排出される。
【００３６】
従来は、この長尺折りモードにおいて、長尺原稿の長さをあらかじめ操作部から入力し、この入力情報にしたがって紙折り機が折り可能な最大用紙長さと比較し、記録紙の折りが可能か否かを判断し、さらに紙折り幅を入力することで、読取原稿長と比較し、さらに紙折り幅より折り面数を割り出して紙折り機が有する最大折り面数と比較し、最終的に紙折り可能か否かを決定している。このように、あらかじめ記録紙のカット長さを決めて画像形成を行なうモードをフリーカットモードという。紙折り不可能のときは紙折りモード設定画面への移行を禁止するように制御している。
【００３７】
本発明は、上述したフリーカット時の紙折りモードの他にシンクロカット時における長尺原稿の長尺折りを可能にするものである。これによって、原稿長の長さ、すなわち、これから紙折り機によって折られる記録紙の長さを入力する手間を省き、原稿長を自動読み取りするだけで、長尺折りが可能になる。なお、シンクロカットとは、先に述べたように、長尺原稿で、副走査方向の長さをスキャナを通して自動的に読み取り、読み取った長さにロール紙をカットすることを意味する。
【００３８】
つぎに、図４に示すフローチャートを用い、本発明の実施の形態にかかる長尺折りの動作例について説明する。図４において、まず、操作部１０１から紙折り幅Ｗ（図３参照）を設定する（ステップＳ１１）。つづいてシンクロカットモードにし（ステップＳ１２）、スキャナ１１０に原稿を挿入し、原稿の画像読み取りと同時に原稿長さを読み取る（ステップＳ１３）。
【００３９】
ここで、最大読み取り可能な副走査方向の原稿長（以下、副走査方向最大コピー長という）をＬｍ、副走査方向の原稿長をＬｄ、最大折り面数をＮｍ、紙折り幅をＷ、折り面数Ｎ＝（Ｌｄ／Ｗ）＋１、とそれぞれ定義する。
【００４０】
つづいて、ステップＳ１３において自動測定された原稿長ＬｄとＬｍとを比較、すなわち、Ｌｍ≧Ｌｄであるか否かを判断する（ステップＳ１４）。ここで、Ｌｍ≧Ｌｄであれば（判断Ｙｅｓ）、つまり、最大コピー長に対して原稿の長さが短ければ、折りが可能であると判断し、さらにＮｍ（最大折り面数）≧Ｎ（折り面数）であるか否か（副走査方向最大コピー長以内のサイズであるか）を判断する（ステップＳ１５）。
【００４１】
すなわち、副走査方向最大コピー長最以内のサイズであると判断した場合（判断Ｙｅｓ）、折り面数Ｎを計算し、最大折り面数Ｎｍと比較する。折り面数Ｎは操作部１０１から設定された紙折り幅Ｗより計算され、（原稿長÷紙折り幅）で計算され余りが生じた場合は＋１面を加えたものとなる。これをＮとする。このステップＳ１５において、Ｎｍ（最大折り面数）≧Ｎ（折り面数）と判断した場合（判断Ｙｅｓ）、紙折り機１２０に対して折り機情報を送出する（ステップＳ１６）。すなわち、記録紙サイズ、紙折り方式、綴じ代、折り幅、スタンプの有無、スタンプの位置などの折り情報を送出する。
【００４２】
一方、ステップＳ１４においてＬｍ≧Ｌｄではないと判断した場合（判断Ｎｏ）、またはステップＳ１５においてＮｍ（最大折り面数）≧Ｎ（折り面数）ではないと判断した場合（判断Ｎｏ）、操作部１０２の表示部１０２に所定のエラーメッセージを表示する（ステップＳ１７）。エラーメッセージとしては、たとえば、「只今の複写・紙折りは原稿の副走査方向（搬送方向）における最大長さを超えました、・・・」といった主旨の表示、あるいは音声ガイダンスによる報知であってもよい。
【００４３】
このように、複写機１００（スキャナ１１０を含む）と紙折り機１２０とを通信ケーブルで接続し、複写機１００側の原稿サイズより副走査方向の原稿長を自動的に読み込み、紙折り可能条件を満たしたとき、記録紙長、紙折り幅などの長尺折り情報を紙折り機１２０側に送信し、紙折りを実行するように制御することにより、長尺原稿を使用したときにおける紙折り機１２０の稼動性（生産性）を最大限に向上させことができる。
【００４４】
【発明の効果】
以上説明したように、本発明にかかる複写・紙折りシステム（請求項１）によれば、大型サイズの記録紙に画像形成を行なう複写機の排紙口に相互通信可能に紙折り機を接続し、原稿読み取り時のサイズ情報および複写機の操作部上で指定された紙折り条件を複写機側から紙折り機側に送信することにより、長尺の複写を行なって紙折りする際に、紙折り機側での紙折り条件の入力や原稿サイズの入力操作といった煩わしい作業が不要になるため、複写機側の原稿スキャン動作のみで紙折りまでの一連の工程が実行され、その生産性が向上する。
【００４５】
また、本発明にかかる複写・紙折りシステム（請求項２）によれば、請求項１において、長尺の複写を行なって紙折りする際に、副走査方向長さ検知手段で検知した原稿の副走査方向の長さ情報および紙折り条件を紙折り機に送信し、所定の紙折り方法で長尺の記録紙の紙折りを実行させることにより、複写機側の送信信号の受信のみで、紙折り機側での紙折り条件の入力や原稿の副走査方向サイズの入力操作といった煩わしい作業が不要になり、かつ紙折り可否が判断可能なため、複写機側の原稿スキャン動作のみで紙折りまでの一連の工程が実行され、その生産性が向上する。
【００４６】
また、本発明にかかる複写・紙折りシステム（請求項３）によれば、請求項２において、長尺の複写を行なって紙折りする際に、副走査方向長さ検知手段で検知した原稿の副走査方向の長さ情報にしたがって、あらかじめ指定された主走査方向と平行な所定幅に複数回折る回数（面数）を算出して紙折り機に送信することにより、紙折り機側での紙折り条件の入力や原稿の副走査方向サイズの入力操作といった煩わしい作業が不要になり、かつ複写機側からの送信情報のみによる紙折りの可否判断が可能になるため、紙折り可能であれば、紙折り機側へ紙折りモードを送出することができる。
【００４７】
また、本発明にかかる複写・紙折りシステム（請求項４）によれば、請求項２または３において、自動的に読み取った原稿の副走査方向長より記録紙長を求め、設定された紙折り幅より紙折り回数を算出し、端数がでた場合にはその長さによって、たとえば１回（面）折りを減らすといった処理内容を適宜変更することが可能なため、紙折り機側における紙折り処理がスムーズになる。
【００４８】
また、本発明にかかる複写・紙折りシステム（請求項５）によれば、請求項２、３または４において、副走査方向長さ検知手段で検知した原稿の副走査方向の長さ情報が、紙折り可能な最大長さを超過した場合にその旨をエラー情報として表示部などを介してユーザに報知するため、その後の処理を迅速に行なうように促すことができる。
【００４９】
また、本発明にかかる複写・紙折りシステム（請求項６）によれば、請求項１において、原稿読み取り時のサイズ情報および複写機の操作部上で指定された紙折り条件（記録紙のサイズ、紙折り方式、綴じ代、折り幅、スタンプの有無、スタンプの位置など）を複写機側から紙折り機側に送信することにより、長尺の複写を行なって紙折りする際に、紙折り機側での紙折り条件の入力や原稿サイズの入力操作といった煩わしい作業が不要になるため、複写機側の原稿スキャン動作のみで紙折りまでの一連の工程が実行され、その生産性が向上する。
【図面の簡単な説明】
【図１】本発明の実施の形態にかかる複写機と紙折り機の概略的な構成を示す断面図である。
【図２】図１における複写機と紙折り機のシステム構成を示すブロック図である。
【図３】本発明の実施の形態にかかる長尺折りの様子を示す説明図である。
【図４】本発明の実施の形態にかかる長尺折りの動作を示すフローチャートである。
【符号の説明】
１００　複写機
１０１ａ，１０１ｂ　ロール紙
１０２　操作部
１０２ｂ　表示部
１０３　複写機制御部
１０４　メモリ
１１０　スキャナ
１１１　ＳＣＵ
１１２　ＣＣＤ
１２０　紙折り機
１２２　制御部
１２３　メモリ
【図１】
2004075237.tif 000003
【図２】
2004075237.tif 000004
【図３】
2004075237.tif 000005
【図４】
2004075237.tif 000006